【手続補正書】
【提出日】平成30年6月27日(2018.6.27)
【手続補正１】
【補正対象書類名】特許請求の範囲
【補正対象項目名】全文
【補正方法】変更
【補正の内容】
【特許請求の範囲】
【請求項１】
Ｌ−ＨＥＶＣ（Ｌａｙｅｒｅｄ  Ｈｉｇｈ  Ｅｆｆｉｃｉｅｎｃｙ  Ｖｉｄｅｏ  Ｃｏｄｉｎｇ）に基づいてタイル符号化されたビデオデータに基づいて１又は複数のメディアファイルを生成する処理装置であって、
前記ビデオデータのうち、少なくとも１つのタイル領域のビデオデータを有するタイルトラックを生成するトラック生成手段と、
前記トラック生成手段により生成されるタイルトラックに関するメタデータを生成するメタデータ生成手段であって、前記タイルトラックがＬ−ＨＥＶＣタイルトラックであることを示す識別情報を含むメタデータを生成するメタデータ生成手段と、
前記トラック生成手段により生成されたタイルトラックと、前記メタデータ生成手段により生成されたメタデータとに基づく１又は複数のメディアファイルを生成するファイル生成手段と、を有することを特徴とする処理装置。
【請求項２】
１以上のフレームがタイル符号化されたビデオデータであって、且つ、ベースレイヤとエンハンスメントレイヤを含む複数のレイヤに符号化されたビデオデータに基づいて１又は複数のメディアファイルを生成する処理装置であって、
前記１以上のフレームが有する複数のタイル領域のうち、少なくとも１つのタイル領域のビデオデータを有するタイルトラックを生成するトラック生成手段と、
前記トラック生成手段により生成されるタイルトラックに関するメタデータを生成するメタデータ生成手段であって、前記タイルトラックが前記複数のレイヤに基づくレイヤ符号化がなされたタイルトラックであることを示す識別情報を含むメタデータを生成するメタデータ生成手段と、
前記トラック生成手段により生成されたタイルトラックと、前記メタデータ生成手段により生成されたメタデータとに基づく１又は複数のメディアファイルを生成するファイル生成手段と、を有することを特徴とする処理装置。
【請求項３】
前記ビデオデータは、ベースレイヤとエンハンスメントレイヤとを含む複数のレイヤに符号化されることを特徴とする請求項１に記載の処理装置。
【請求項４】
前記識別情報は、ＩＳＯＢＭＦＦ（ＩＳＯ／ＩＥＣ１４４９６−１２）において規定されるサンプルディスクリプションボックスに記述されることを特徴とする請求項１乃至３のうち、何れか１項に記載の処理装置。
【請求項５】
前記識別情報は、ＩＳＯＢＭＦＦ（ＩＳＯ／ＩＥＣ１４４９６−１２）において規定されるサンプルテーブルボックスに記述されることを特徴とする請求項１乃至３のうち、何れか１項に記載の処理装置。
【請求項６】
前記サンプルディスクリプションボックスは、サンプルテーブルボックスが有するボックスであることを特徴とする請求項４に記載の処理装置。
【請求項７】
前記識別情報は、４文字の符号“ｌｈｔ１”であることを特徴とする請求項１乃至７のうち、何れか１項に記載の処理装置。
【請求項８】
Ｌ−ＨＥＶＣ（Ｌａｙｅｒｅｄ  Ｈｉｇｈ  Ｅｆｆｉｃｉｅｎｃｙ  Ｖｉｄｅｏ  Ｃｏｄｉｎｇ）に基づいてタイル符号化されたビデオデータに基づく１又は複数のメディアファイルを処理する処理装置であって、
前記ビデオデータのうち、少なくとも１つのタイル領域のビデオデータを有するタイルトラックと、前記タイルトラックに関するメタデータであって、前記タイルトラックがＬ−ＨＥＶＣタイルトラックであることを示す識別情報を含むメタデータと、を含む１又は複数のメディアファイルを受信する受信手段と、
前記受信手段により受信された前記１又は複数のメディアファイルに基づいてビデオデータを再生する再生手段と、を有することを特徴とする処理装置。
【請求項９】
１以上のフレームがタイル符号化されたビデオデータであって、且つ、ベースレイヤとエンハンスメントレイヤを含む複数のレイヤに符号化されたビデオデータに基づく１又は複数のメディアファイルを処理する処理装置であって、
前記１以上のフレームが有する複数のタイル領域のうち、少なくとも１つのタイル領域のビデオデータを有するタイルトラックと、前記タイルトラックに関するメタデータであって、前記タイルトラックが前記複数のレイヤに基づくレイヤ符号化がなされたタイルトラックであることを示す識別情報を含むメタデータと、を含む前記１又は複数のメディアファイルを受信する受信手段と、
前記受信手段により受信された前記１又は複数のメディアファイルに基づいてビデオデータを再生する再生手段と、を有することを特徴とする処理装置。
【請求項１０】
前記ビデオデータは、ベースレイヤとエンハンスメントレイヤとを含む複数のレイヤに符号化されることを特徴とする請求項８に記載の処理装置。
【請求項１１】
前記識別情報は、ＩＳＯＢＭＦＦ（ＩＳＯ／ＩＥＣ１４４９６−１２）において規定されるサンプルディスクリプションボックスに記述されることを特徴とする請求項８乃至１０のうち、何れか１項に記載の処理装置。
【請求項１２】
前記識別情報は、ＩＳＯＢＭＦＦ（ＩＳＯ／ＩＥＣ１４４９６−１２）において規定されるサンプルテーブルボックスに記述されることを特徴とする請求項８乃至１０のうち、何れか１項に記載の処理装置。
【請求項１３】
Ｌ−ＨＥＶＣ（Ｌａｙｅｒｅｄ  Ｈｉｇｈ  Ｅｆｆｉｃｉｅｎｃｙ  Ｖｉｄｅｏ  Ｃｏｄｉｎｇ）に基づいてタイル符号化されたビデオデータに基づいて１又は複数のメディアファイルを生成するための処理方法であって、
前記ビデオデータのうち、少なくとも１つのタイル領域のビデオデータを有するタイルトラックを生成するトラック生成工程と、
前記トラック生成工程により生成されるタイルトラックに関するメタデータを生成するメタデータ生成工程であって、前記タイルトラックがＬ−ＨＥＶＣタイルトラックであることを示す識別情報を含むメタデータを生成するメタデータ生成工程と、
前記トラック生成工程により生成されたタイルトラックと、前記メタデータ生成工程により生成されたメタデータとに基づく１又は複数のメディアファイルを生成するファイル生成工程と、を有することを特徴とする処理方法。
【請求項１４】
１以上のフレームがタイル符号化されたビデオデータであって、且つ、ベースレイヤとエンハンスメントレイヤを含む複数のレイヤに符号化されたビデオデータに基づいて１又は複数のメディアファイルを生成するための処理方法であって、
前記１以上のフレームが有する複数のタイル領域のうち、少なくとも１つのタイル領域のビデオデータを有するタイルトラックを生成するトラック生成工程と、
前記トラック生成工程により生成されるタイルトラックに関するメタデータを生成するメタデータ生成工程であって、前記タイルトラックが前記複数のレイヤに基づくレイヤ符号化がなされたタイルトラックであることを示す識別情報を含むメタデータを生成するメタデータ生成工程と、
前記トラック生成工程により生成されたタイルトラックと、前記メタデータ生成工程により生成されたメタデータとに基づく１又は複数のメディアファイルを生成するファイル生成工程と、を有することを特徴とする処理方法。
【請求項１５】
前記ビデオデータは、ベースレイヤとエンハンスメントレイヤとを含む複数のレイヤに符号化されることを特徴とする請求項１３に記載の処理方法。
【請求項１６】
前記識別情報は、ＩＳＯＢＭＦＦ（ＩＳＯ／ＩＥＣ１４４９６−１２）において規定されるサンプルディスクリプションボックスに記述されることを特徴とする請求項１３乃至１５のうち、何れか１項に記載の処理方法。
【請求項１７】
Ｌ−ＨＥＶＣ（Ｌａｙｅｒｅｄ  Ｈｉｇｈ  Ｅｆｆｉｃｉｅｎｃｙ  Ｖｉｄｅｏ  Ｃｏｄｉｎｇ）に基づいてタイル符号化されたビデオデータに基づく１又は複数のメディアファイルを処理するための処理方法であって、
前記ビデオデータのうち、少なくとも１つのタイル領域のビデオデータを有するタイルトラックと、前記タイルトラックに関するメタデータであって、前記タイルトラックがＬ−ＨＥＶＣタイルトラックであることを示す識別情報を含むメタデータと、を含む１又は複数のメディアファイルを受信する受信工程と、
前記受信工程により受信された前記１又は複数のメディアファイルに基づいてビデオデータを再生する再生工程と、を有することを特徴とする処理方法。
【請求項１８】
１以上のフレームがタイル符号化されたビデオデータであって、且つ、ベースレイヤとエンハンスメントレイヤを含む複数のレイヤに符号化されたビデオデータに基づく１又は複数のメディアファイルを処理するための処理方法であって、
前記１以上のフレームが有する複数のタイル領域のうち、少なくとも１つのタイル領域のビデオデータを有するタイルトラックと、前記タイルトラックに関するメタデータであって、前記タイルトラックが前記複数のレイヤに基づくレイヤ符号化がなされたタイルトラックであることを示す識別情報を含むメタデータと、を含む前記１又は複数のメディアファイルを受信する受信工程と、
前記受信工程により受信された前記１又は複数のメディアファイルに基づいてビデオデータを再生する再生工程と、を有することを特徴とする処理方法。
【請求項１９】
前記ビデオデータは、ベースレイヤとエンハンスメントレイヤとを含む複数のレイヤに符号化されることを特徴とする請求項１７に記載の処理装置。
【請求項２０】
前記識別情報は、ＩＳＯＢＭＦＦ（ＩＳＯ／ＩＥＣ１４４９６−１２）において規定されるサンプルディスクリプションボックスに記述されることを特徴とする請求項１７乃至１９のうち、何れか１項に記載の処理装置。
【手続補正２】
【補正対象書類名】明細書
【補正対象項目名】００２３
【補正方法】変更
【補正の内容】
【００２３】
本発明の第１の態様に従って、処理装置は、Ｌ−ＨＥＶＣ（Ｌａｙｅｒｅｄ  Ｈｉｇｈ  Ｅｆｆｉｃｉｅｎｃｙ  Ｖｉｄｅｏ  Ｃｏｄｉｎｇ）に基づいてタイル符号化されたビデオデータに基づいて１又は複数のメディアファイルを生成する処理装置であって、前記ビデオデータのうち、少なくとも１つのタイル領域のビデオデータを有するタイルトラックを生成するトラック生成手段と、前記トラック生成手段により生成されるタイルトラックに関するメタデータを生成するメタデータ生成手段であって、前記タイルトラックがＬ−ＨＥＶＣタイルトラックであることを示す識別情報を含むメタデータを生成するメタデータ生成手段と、前記トラック生成手段により生成されたタイルトラックと、前記メタデータ生成手段により生成されたメタデータとに基づく１又は複数のメディアファイルを生成するファイル生成手段と、を含む。